(57)【要約】【課題】  遊技盤に設ける遊技領域の拡大化を可能として遊技性を向上することができるパチンコ機を得る。【解決手段】  パチンコ機１０では、上下に隣接配置されたガラス枠２６と一体皿３０との境界１５０を、境界１５０の中央部１５０Ｃがガラス枠２６側から一体皿３０側へ突出した形状とする。これに伴い、ガラス枠２６の下端部に突出部１５２を設け、ガラス枠２６の窓部２５及び窓部２５に設けるガラス板２２を突出部１５２側へ拡張させる。これにより、窓部２５及びガラス板２２を通して視認できる視認範囲は拡大され、遊技盤１００に設ける遊技領域１０１の拡大化が可能になる。【選択図】        図４
2005185754.tif 000002
【特許請求の範囲】
【請求項１】
パチンコ機本体の前面下部に配置され、遊技球を貯留すると共にその遊技球を発射手段に供給する打球供給皿と、
パチンコ機本体の前面上部に配置され、遊技者の操作により前記発射手段から発射された遊技球が打ち込まれて遊技が行われる遊技領域が盤面に設けられた遊技盤と、
前記打球供給皿の上方に隣接配置され、前記遊技盤の盤面を覆うと共に少なくとも前記遊技領域の一部を外部から視認可能とする窓部に透明カバー部材が設けられた枠体と、
を備えたパチンコ機であって、
前記打球供給皿と前記枠体との境界は、その境界の少なくとも中央範囲が枠体側から打球供給皿側へ突出した形状とされていることを特徴とするパチンコ機。
【請求項２】
前記境界の少なくと中央範囲には略水平に配置された略水平形状部が設けられ、この略水平形状部と境界の側端との間は側端から略水平形状部へ向けて下り傾斜した傾斜形状とされていることを特徴とする請求項１記載のパチンコ機。
【発明の詳細な説明】
【技術分野】
【０００１】
本発明は、パチンコ機に係り、詳細には、パチンコ機本体の前面に設けられる打球供給皿と、遊技盤の盤面を覆う透明カバー部材を備えた枠体とが隣接配置されたパチンコ機に関する。
【背景技術】
【０００２】
遊技盤に設けられた遊技領域に遊技球を打ち込んで遊技を行うパチンコ機では、その前面下部に、遊技球を貯留して打球発射装置へ送り込む上皿（打球供給皿）、及び、機器内から賞球が払い出された際などに上皿に貯留しきれない余剰球を収容するとともにそれらを球箱へ排出することができる下皿（余剰球受け皿）が設けられている。また、近年では、上皿と下皿の機能を兼ね備えてそれらを一体化した所謂「一体皿」と呼ばれる打球供給皿を備えたパチンコ機も登場している（特許文献１参照）。
【０００３】
この一体皿を備えたパチンコ機の場合、上皿及び下皿の分離構成に比べて機器の前面下部に確保する設置スペースが縮小化できるため、機器の前面上部に配置する遊技盤の拡大化とそれに伴う遊技領域の拡大化が可能であり、これによって、遊技性を向上できるという利点がある。
【特許文献１】特開２００２−２６３３２５号公報
【発明の開示】
【発明が解決しようとする課題】
【０００４】
しかしながら、近年のパチンコ機では、遊技性を高めるため遊技領域に配置する液晶表示装置や各種役物等を大型化させる傾向にあり、上記特許文献１に記載されるパチンコ機等においても、遊技領域の更なる拡大化が望まれている。
【０００５】
この遊技領域の拡大に対応するには、例えば遊技盤を覆うガラス枠を下方へ拡大させるとともに、ガラス板が配置されるガラス枠の窓部を下方へ拡大させ、ガラス板を通して遊技盤の盤面を視認することができる視認範囲を拡大させることが有効であると考えられる。しかし、ガラス枠の下方には、発射装置との関係から必要高さが決められた打球供給皿が配置されており、容易には変更できない。特に、一体皿の場合は、遊技盤の左側下方に配置された発射装置に遊技球を供給するため、一体皿の球皿部の底面を右側から左側に下り傾斜させており、賞球排出口は前面の上部右側に配置する必要があるため、ガラス枠の右側下部はその制約を受けて容易に高さを下げられないという問題がある。また、一体皿の球皿部の左側には、パチンコ機の左側に隣接配置された球貸し機から排出される遊技球（貸し球）を受けるとともに、その遊技球を球皿部の中央側へ流下させるよう左側から右側に下り傾斜した球受け部を設ける必要がある。この球受け部を、球貸し機の球排出ノズルと所定の高さ関係に保つとともに、球皿部底面の中央領域よりも高い位置に配置しなければならないという制約があるため、ガラス枠の左側下部についても、その高さ容易を下げることはできない。
【０００６】
本発明は上記事実を考慮して、遊技盤に設ける遊技領域の拡大化を可能として遊技性を向上することができるパチンコ機を提供することを課題とする。
【課題を解決するための手段】
【０００７】
上記目的を達成するために請求項１に記載の発明は、パチンコ機本体の前面下部に配置され、遊技球を貯留すると共にその遊技球を発射手段に供給する打球供給皿と、パチンコ機本体の前面上部に配置され、遊技者の操作により前記発射手段から発射された遊技球が打ち込まれて遊技が行われる遊技領域が盤面に設けられた遊技盤と、前記打球供給皿の上方に隣接配置され、前記遊技盤の盤面を覆うと共に少なくとも前記遊技領域の一部を外部から視認可能とする窓部に透明カバー部材が設けられた枠体と、を備えたパチンコ機であって、前記打球供給皿と前記枠体との境界は、その境界の少なくとも中央範囲が枠体側から打球供給皿側へ突出した形状とされていることを特徴としている。
【０００８】
請求項１に記載の発明では、パチンコ機本体の前面下部に打球供給皿が配置され、この打球供給皿に貯留された遊技球は打球供給皿から発射手段に供給される。また、パチンコ機本体の前面上部には遊技盤が配置され、遊技においては、遊技者の操作により発射手段から遊技球が発射されると、その遊技球は遊技盤の盤面に設けられた遊技領域に打ち込まれる。打球供給皿の上方には、遊技盤の盤面を覆う共に少なくとも遊技領域の一部を外部から視認可能とする窓部に透明カバー部材が設けられた枠体が隣接配置されており、遊技者は、枠体の窓部に設けられた透明カバー部材を通して、遊技球が遊技領域を自重落下することにより進行する遊技の状況を視認し、遊技を行う。
【０００９】
ここで、上記の打球供給皿と枠体との境界は、その境界の少なくとも中央範囲が枠体側から打球供給皿側へ突出した形状とする。この境界形状によって、枠体には突出部（拡張部）が設けられ、枠体の窓部及び窓部に設ける透明カバー部材は突出部側へ拡張可能となる。この窓部及透明カバー部材の拡張によって、カバー部材を通して視認できる視認範囲は拡大され、これに伴い遊技盤に設ける遊技領域の拡大化が可能となる。
【００１０】
請求項２に記載の発明は、請求項１記載のパチンコ機において、前記境界の少なくと中央範囲には略水平に配置された略水平形状部が設けられ、この略水平形状部と境界の側端との間は側端から略水平形状部へ向けて下り傾斜した傾斜形状とされていることを特徴としている。
【００１１】
請求項２に記載の発明では、境界の少なくとも中央範囲には、略水平に配置された略水平形状部を設け、この略水平形状部と境界の側端との間は側端から略水平形状部へ向けて下り傾斜した傾斜形状とする。これにより、例えば遊技盤に円形状に設けられる遊技領域、及び遊技領域に対応して枠体に円形状に設けられる窓部に対して、境界が窓部に沿うような形状になり、遊技領域の拡大化を強調できるとともに意匠性及び製造性を向上することができる。また、このように境界の形状が非直線的であることにより、境界形状が直線状（略水平）に形成されている機種に対して意匠的に差別化が図れ、遊技者に斬新な印象を与えることができる。
【発明の効果】
【００１２】
本発明のパチンコ機は上記構成としたので、遊技盤及び遊技領域の拡大化が可能となり、遊技性を向上することができる。
【発明を実施するための最良の形態】
【００１３】
以下、本発明の実施形態に係るパチンコ機について図面を参照して説明する。
【００１４】
図１には本発明の一実施形態に係るパチンコ機が示され、図２には本実施形態に係るパチンコ機に適用される内枠、ガラス枠、及び遊技盤が示されている。
【００１５】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、化粧パネルとなる下飾り２０が取り付けられている。
【００１６】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている（図２参照）。開口部２８には、交換可能とされた遊技盤１００がセットされており、遊技盤１００は、ガラス枠２６を内枠１４に閉塞した状態でガラス枠２６（ガラス板２２）に覆われるようになっている。
【００１７】
ガラス枠２６の前面には、賞球表示灯や完了表示灯等としての機能を有する複数の表示灯１４０と、遊技の進行に応じて点灯又は点滅等し照明による演出効果を生み出す演出用の表示灯１４２とがガラス板２２（遊技盤１００の遊技領域）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００１８】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００１９】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた後述する賞球払出装置８６から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００２０】
また、パネル部材３２の前面における左側下部には灰皿３８が設けられ、右側下部には打球の飛距離を調整するための発射ハンドル３９が取り付けられている。
【００２１】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００２２】
貯球タンク４２は、上面が開口した箱型とされ、底面４４が正面視にて左側から右側へ下り傾斜している。底面４４の傾斜方向上流側となる貯球タンク４２の左側面部にはタンク入口９７が形成され（図４参照）が形成され、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００２３】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００２４】
図３及び図４に示されるように、内枠１４の裏面上部には、島設備の球補給装置から供給される遊技球を貯える貯留タンク８０が取り付けられている。貯留タンク８０は、底面８２が裏面視左側から右側へ向けて下り傾斜されており、右側端部には、遊技球をパチンコ機１０の前後方向（奥行き方向）に２列に整列する球整列通路（排出通路）８４が形成されている。
【００２５】
貯留タンク８０の右側には、賞球払出装置８６が配置されて球導入通路８７が球整列通路８４に接続されている。この球導入通路８７と一体的に設けられたケース８８内には、球払出機構として、球整列通路８４及び球導入通路８７に対応して前後方向に所定の間隔で配列されるとともに位相が異なる２枚のカム板部（スプロケット）を備えたカム軸１３０が収納されている。また、カム軸１３０を回転駆動する駆動源としてのステッピングモータ１３２は、内枠１４の裏面に取り付けられたモータカバー１３４内に収納されており、モータカバー１３４の裏面にケース８８を取り付けると、ステッピングモータ１３２にカム軸８８が連結される（図４では球導入通路８７及びケース８８の図示を省略している。）
賞球払出装置８６の下方には、内枠１４裏面の右側端部に、上下方向に延出された球通路部材９０が配置されている。球通路部材９０は、３個のプラスチックファスナー９２によって内枠１４の裏面に着脱可能に取り付けられており、上端部に形成された球導入口９４が賞球払出装置８６の球排出口８９に接続され、下端部左側に形成された球排出口９６が、貯球タンク４２の裏面視右側面部に形成されたタンク入口９７に接続されている（図４参照）。また、図４に示されるように、球通路部材９０の内部に形成された球通路９８は、賞球払出装置８６に設けられたカム軸１３０の２枚のカム板部と対応して前後方向に隣接配置された一対の通路からなる２条構造とされており、球導入口９４と接続された上端部付近から下部までの所定範囲が前後方向に蛇行状に屈曲され、下部から左方向へ屈曲されて球排出口９６に接続されている。
【００２６】
これにより、貯留タンク８０内へ供給された遊技球は、貯留タンク８０内を右方向へ流下しながら球詰まりとならないよう球整列通路８４により前後方向に２列に整列され、球導入通路８７を通って賞球払出装置８６のカム軸１３０へ送り込まれ、賞球払出装置８６の作動時に、ステッピングモータ１３２が回転駆動しカム軸１３０を回転させると、カム軸１３０の各カム板部によって球導入通路８７の各列から交互に球排出口８９を通り下方へ排出される。そして、球通路部材９０の各球導入口９４に入り、球通路部材９０内の各球通路９８を通って球排出口９６からタンク入口９７を介し貯球タンク４２内へ排出される。また、球通路部材９０内の球通路９８が蛇行状にされているため、球通路９８を流下する遊技球（賞球）の速度が抑えられて球通路９８の下端部に加わる遊技球の落下衝撃は緩和される。さらに、貯球タンク４２内が満杯になり、賞球払出装置８６によって継続して払い出された遊技球が球通路９８に滞留する場合でも、球通路９８の下流側に滞留した遊技球に掛かる上流側の遊技球による圧力は、球通路９８の蛇行形状によって減少されるため、球通路９８あるいは貯球タンク４２内での球詰まり発生が防止される。
【００２７】
さらに、球通路部材９０から、図２に示される貯球タンク４２の右側面部に形成されたタンク入口９７を介して貯球タンク４２内へ導入された遊技球（賞球）は、正面視にて左側から右側へ下り傾斜している貯球タンク４２の底面４４上を転動し、タンク出口４５及び賞球排出口４６を介して一体皿３０の球皿部３４へ排出される。そして球皿部３４が遊技球で満杯になると、球皿部３４に貯留しきれない余剰球は貯球タンク４２に貯留される。また、貯球タンク４２の底面４４における最上流部（正面視左側部）には球検出スイッチが設けられており、貯球タンク４２が遊技球で満杯になり、球検出スイッチが遊技球に押されて満杯であることが検出されると、その満杯状態が解消されるまで、賞球の払い出しが一時的に停止する。
【００２８】
図３に示されるように、内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００２９】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００３０】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００３１】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００３２】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００３３】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。
【００３４】
遊技領域１０１には、液晶ディスプレイを内蔵した特別図柄表示装置や、入賞口、始動口（スタート・チャッカー）、通過入賞口（スルー・チャッカー）、又、大入賞口（アタッカー）を備えた変動入賞装置（特別電動役物）がそれぞれ所定の位置に配置されると共に、遊技領域１０１内を落下する遊技球を所定の経路に誘導する多数の遊技釘等が設けられており（何れも図示省略）、最下位置にアウト口１２４が配置されている。
【００３５】
次に、本実施形態に係るパチンコ機１０におけるガラス枠２６と一体皿３０の境界形状について説明する。
【００３６】
上述したように、ガラス枠２６及び一体皿３０は、それぞれ内枠１４の前面に配置されると共に、ガラス枠２６が上側、一体皿３０が下側に位置して隣接配置されている。また、このガラス枠２６及び一体皿３０は左右方向の幅寸法が略同一寸法とされている。
【００３７】
図３に示されるように、ガラス枠２６及び一体皿３０の幅寸法をＷとし、幅寸法：Ｗを均等に３分割した場合の左側を左側範囲：ＷＬ、中央を中央範囲：ＷＣ、右側を右側範囲：ＷＲとすると、本実施形態では、隣接配置されたガラス枠２６と一体皿３０との境界１５０は、上記ＷＣよりも長くされた中央の所定範囲がガラス枠２６側から一体皿３０側へ突出した形状とされている。
【００３８】
境界１５０は、左端１５０ＬＥ及び左端１５０ＲＥが同一高さに配置されており、左端１５０ＬＥと左端１５０ＲＥを結んだ水平線ＨＬに対し、中央の所定範囲が下方（一体皿３０側）へ所定寸法（ΔＨ）だけ平行移動されている。この水平形状とされた中央の所定範囲は中央部１５０Ｃとされ、境界１５０は、中央部１５０と、中央部１５０の左側に位置する左部１５０Ｌ及び中央部１５０の右側に位置する右部１５０Ｒとにより構成されている。
【００３９】
左部１５０Ｌは、ガラス枠２６及び一体皿３０を開閉可能に支持するヒンジ（図示省略）が配置される左端１５０ＬＥ側の一部が水平に配置され、その一部の右端から中央部１５０の左端へ向けて下り傾斜する形状とされている。右部１５０Ｒは、左端１５０ＲＥから中央部１５０の右端へ向けて下り傾斜する形状とされている。また、左部１５０Ｌ及び右部１５０Ｒは、左右方向に沿った長さ寸法が略同一寸法とされている。したがって、この境界１５０は以下ように構成されている。
【００４０】
（中央部１５０Ｃの長さ寸法）＞Ｗ×１／３（＝ＷＬ＝ＷＣ＝ＷＲ）＞（左部１５０Ｌの左右方向に沿った長さ寸法＝右部１５０Ｒの左右方向に沿った長さ寸法）
そしてこのような境界１５０の形状により、ガラス枠２６の下端部には、略逆さ台形状の突出部１５２が設けられ、一体皿３０のパネル部材３２の上端部には、突出部１５２に対応する凹状部１５４が設けられている。さらに、球皿本体３６の上面３６Ａについては（図１参照）、凹状部１５４よりも低くされて緩やかに湾曲した凹状に形成されている。
【００４１】
また、ガラス枠２６の窓部２５は、その下端縁が上記の水平線ＨＬよりも下方に位置して突出部１５２に配置され境界１５０の中央部１５０Ｃに近接しており、遊技盤１００の盤面１００Ａに取り付けられた内レール１０４は、その下端縁が水平線ＨＬよりも下方に配置されて窓部２５の下端縁に近接している。また、外レール１０２は上側部分が窓部２５の内側に配置されており、内レール１０４は全体が窓部２５の内側に配置されている。したがって、この外レール１０２と内レール１０４とに囲まれて形成されている遊技領域１０１は、その全領域が窓部２５の内側に配置されて、窓部２５に設けられているガラス板２２を通して外部から視認可能となっている。
【００４２】
次に、以上説明した本実施形態に係るパチンコ機１０の作用について説明する。
【００４３】
本実施形態のパチンコ機１０では、ガラス枠２６と一体皿３０との境界１５０は、境界１５０の中央部１５０Ｃがガラス枠２６側から一体皿３０側へ突出した形状とされている。境界１５０をこのような形状として、ガラス枠２６の下端部に突出部１５２を設け、ガラス枠２６の窓部２５及び窓部２５に設けるガラス板２２を突出部１５２側へ拡張させていることにより、ガラス板２２を通して視認できる視認範囲は拡大され、これに伴い遊技盤１００に設ける遊技領域１０１の拡大化が可能となる。
【００４４】
図３には、本実施形態の遊技盤に設けられた遊技領域の大きさを、従来機種の遊技盤に設けられた遊技領域と比較した状態が示されている。図３に示されるように、本実施形態の遊技領域１０１は、従来機種の遊技盤に設けられた外レール２０２及び内レール２０４によって形成される遊技領域２００に対して下部側が下方へ大きく拡大されており、これに伴い、従来のアウト口２０６に対してアウト口１２４の位置が大幅に下げられている。また、遊技領域１０１の形状を円形状に保つために、下方への拡大幅ほどではないが、従来の遊技領域２００に対して上部及び左右側部もそれぞれ外側へ拡大させている。したがって、本実施形態のパチンコ機１０では、遊技領域１０１に配置する特別図柄表示装置や各種役物等の大型化が容易となり、遊技性を向上することができる。
【００４５】
また、本実施形態では、境界１５０の中央部１５０Ｃは水平に配置されており、この中央部１５０Ｃと境界１５０の左端１５０ＬＥとの間は左端１５０ＬＥ側の一部を除き左端１５０ＬＥ側から中央部１５０Ｃへ向けて下り傾斜した傾斜形状（左部１５０Ｌ）とされ、中央部１５０Ｃと境界１５０の右端１５０ＲＥとの間は右端１５０ＲＥから中央部１５０Ｃへ向けて下り傾斜した傾斜形状（右部１５０Ｒ）とされれていることにより、遊技盤１００に円形状に設けられる遊技領域１０１、及び遊技領域１０１に対応してガラス枠２６に円形状に設けられる窓部２５に対して、境界１５０が遊技領域１０１及び窓部２５に沿うような形状になる。これにより、遊技領域１０１の拡大化を強調できるとともに意匠性及び製造性を向上することができる。
【００４６】
さらに、本実施形態では、遊技領域１０１の全領域が外部からガラス板２２を通して視認可能であるとともに、発射装置４０から上方へ発射された遊技球ＢＬが外レール２０２に沿って遊技領域１０１へ打ち込まれる様子も視認できる。これにより、遊技領域１０１の拡大化がより強調される効果が生じ、遊技者に遊技領域１０１の拡大化をより強く印象付けることができる。
【００４７】
また、本実施形態では、ガラス枠２６と一体皿３０との境界１５０の形状が非直線的であることにより、境界形状が直線状（略水平）に形成されている従来機種に対して意匠的に差別化が図れ、遊技者に斬新な印象を与えることができる。
【００４８】
以上、本発明を上述した特定の実施形態により詳細に説明したが、本発明はそれに限定されるものではなく、本発明の範囲内にて他の種々の実施形態が可能である。
【００４９】
例えば、上述した実施形態では一体皿構成のパチンコ機を用いて説明したが、上皿及び下皿構成のパチンコ機についても、ガラス枠と上皿との境界を、境界の少なくとも中央範囲がガラス枠側から上皿側へ突出した形状とすることにより同様の効果が得られる。
【００５０】
またこの上皿及び下皿構成のパチンコ機の場合は、賞球排出口が前面の上部左側に配置されるため、一体皿構成のパチンコ機のように、ガラス枠の右側下部を下方へ拡大させることへの制約を受け難いため、ガラス枠と上皿との境界形状は、中央範囲及び右側範囲がガラス枠側から上皿側へ突出した形状とすることも可能である。一方、一体皿構成のパチンコ機においても、球貸し機への対応を考慮しなくてもよい機種であれば、ガラス枠の左側下部を下方へ拡大させることが可能であり、その場合は、ガラス枠と一体皿との境界形状は、中央範囲及び左側範囲がガラス枠側から一体皿３０側へ突出した形状とすることも可能である。
【図面の簡単な説明】
【００５１】
【図１】本発明の一実施形態に係るパチンコ機を示す正面図である。
【図２】図１のパチンコ機における内枠、ガラス枠、及び遊技盤を示す正面側から見た斜視図である。
【図３】図１のパチンコ機における内枠、ガラス枠、及び遊技盤を示す裏面側から見た斜視図である。
【図４】図１のパチンコ機における内枠及び遊技盤を示すとともに球通路部材が取り外された状態を示す裏面側から見た斜視図である。
【図５】図１のパチンコ機と従来のパチンコ機とにおける遊技領域の大きさの違いを比較説明するための説明図である。
【符号の説明】
【００５２】
１０        パチンコ機
１４        内枠（パチンコ機本体）
２２        ガラス板（透明カバー部材）
２５        窓部
２６        ガラス枠（枠体）
３０        一体皿
４０        発射装置（発射手段）
１００        遊技盤
１００Ａ      盤面
１０１        遊技領域
１５０        境界
１５０Ｃ      中央部（略水平形状部）
１５０Ｌ      左部（傾斜形状）
１５０Ｒ      右部（傾斜形状）
ＷＣ        中央範囲
ＢＬ        遊技球
【図１】
2005185754.tif 000003
【図２】
2005185754.tif 000004
【図３】
2005185754.tif 000005
【図４】
2005185754.tif 000006
【図５】
2005185754.tif 000007